【事件の表示】
　平成　８年特許願第５１１８３７号「離層の少ない改良された経皮デバイス」拒絶査定不服審判事件〔平成　８年　４月１１日国際公開、ＷＯ９６／１０４２９、平成１１年　２月　９日国内公表、特表平１１−５０１５２７〕について、次のとおり審決する。
【結　論】
　本件審判の請求は、成り立たない。
【理　由】
Ｉ．手続の経緯
　本願は、平成７年９月１５日の出願（パリ条約による優先権主張１９９４年９月２９日、米国）であって、平成１７年１０月２０日付けで拒絶査定がなされ、これに対し、平成１８年１月３０日に拒絶査定不服審判の請求がなされるとともに、平成１８年３月１日付けで明細書についての手続補正がなされたものである。
　
II．平成１８年３月１日付けの手続補正についての補正却下の決定
［補正却下の決定の結論］
　平成１８年３月１日付けの手続補正（以下、「本件補正」という）を却下する。
　
［理由］
１．補正後の本願発明
　本件補正により、特許請求の範囲の請求項１は、次のように補正された。
　「治療有効速度での薬物の経皮投与デバイスであって、
　（ａ）治療有効量の薬物と皮膚透過促進量の非イオン界面活性剤とを含む非水性溜めと；
　（ｂ）該溜めの皮膚近位面上にあり、非イオン界面活性剤及び薬物に対して低い又は無視できる程の溶解性を有する物質から形成される非速度制御性孔質連結層と；
　（ｃ）該溜めの皮膚遠位面上のバッキングと；
　（ｄ）該連結層の皮膚近位面上に設けられ、かつ該溜めを皮膚に対して薬物及び透過促進剤混合物を伝達するような関係に維持するための手段であり、連結層に隣接して設けた接着剤層を含む手段とを含み、
　前記連結層は、微孔質連結層、多孔質ポリカーボネート及びスパンボンド処理フィラメント材料からなる群から選択され、透過促進剤及び薬物のいずれも吸収せず、薬物の流動及び放出速度に関して有効に非速度制御性であるような物質から形成され、それにより、溜め及び接着剤層間のブルーミングと離層とを減じるようにすることを特徴とする、薬物の経皮投与デバイス。」
　
２．補正の目的
　本件補正は、請求項１に記載した発明の構成に欠くことのできない事項である「非速度制御性微孔質連結膜」を「微孔質連結層、多孔質ポリカーボネート及びスパンボンド処理フィラメント材料からなる群から選択され」る「非速度制御性孔質連結層」に減縮し、また、「連結層」について、「透過促進剤及び薬物のいずれも吸収せず」との限定を付加し、「それにより、ブルーミングを減じる」との構成を、「それにより、溜め及び接着剤層間のブルーミングと離層とを減じる」に減縮し、「該連結層の皮膚近位面上に該溜めを、皮膚と薬物及び透過促進剤混合物−伝達関係に維持するための手段」を、「該連結層の皮膚近位面上に設けられ、かつ該溜めを皮膚に対して薬物及び透過促進剤混合物を伝達するような関係に維持するための手段であり、連結層に隣接して設けた接着剤層を含む手段」と、「接着剤層を含む」手段に減縮するものであり、かつ、補正後の請求項１に記載された発明は、補正前の請求項１に記載された発明と、産業上の利用分野及び解決しようとする課題が同一であるので、本件補正は、平成１８年改正前特許法第１７条の２第４項第２号の特許請求の範囲の減縮を目的とするものに該当する。
　そして、本件補正は、新規事項を追加するものではなく、特許請求の範囲を拡張又は変更するものでもない。
　
３．独立特許要件
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
３−１．引用例の記載事項
　Ａ．原査定の拒絶の理由に引用された、国際公開第９３／２３０２５号パンフレット（以下、「引用例１」という）には、図面と共に次の事項が記載されている。
　ａ．In FIG.1, transdermal delivery device 10 comprises … an in-line contact adhesive layer 16.「図１では、経皮投与デバイス１０はオキシブチニンと適当な透過促進剤の両方を含有する溜め１２を含む。溜め１２は好ましくは、その中に分散したオキシブチニンと促進剤とを含むマトリックスの形状である。溜め１２は水蒸気に対して透過性であるバッキング層１４と、インライン接触接着剤層１６との間に挟まれる。」（明細書７ページ１７〜２２行）（訳文はファミリーである特表平８−５０２９５２号公報の対応個所の記載を援用する。）
　ｂ．The reservoir matrix should be compatible … used as the matrix material.「溜めマトリックスはオキシブチニン、透過促進剤及びそのためのキャリヤーと相容性であるべきである。ここで用いる“マトリックス”なる用語は一定形状に成形された(fixed into shape)、成分の充分に混合された複合体を意味する。水性製剤を用いる場合には、溜めマトリックスは好ましくは親水性ポリマー（例えばヒドロゲル）である。非水性製剤を用いる場合には、溜めマトリックスは好ましくは疎水性ポリマーから成る。適当なポリマーマトリックスは経皮薬物投与分野において周知であり、前記で、ここに参考文献として関係した上記特許に例示されている。
　典型的な積層系は、例えば米国特許第４，１４４，３１７号に述べられているような、好ましくは約９〜６０％、特に好ましくは約２８〜６０％ＶＡの範囲内の酢酸ビニル（ＶＡ）含量を有するエチレン−酢酸ビニル（ＥＶＡ）コポリマーのようなポリマー膜及び／又はマトリックスを含む。高分子量ポリイソブチレン４〜２５％と低分子量ポリイソブチレン２０〜８１％とを含み、残部が例えば鉱油又はポリブチンのような油状物であるポリイソブチレン／油　ポリマーもマトリックス物質として使用可能である。」（明細書１０ページ２７行〜１１ページ１１行）
　ｃ．When a constant oxybutynin delivery rate is desired, … delivery period of the system.「一定のオキシブチニン投与速度が望ましい場合には、オキシブチニンは通常、飽和を越える濃度でマトリックス又はキャリヤー中に存在し、この過剰量は系のオキシブチニン投与期間の所望の長さの関数である。」（明細書１１ページ３３行〜１２ページ２行）
　ｄ．The permeation enhancer is despersed through … anticipated administration period.「透過促進剤は、好ましくは、予定投与期間を通して溜めに促進剤の透過促進量を供給するために充分な濃度で、マトリックス又はキャリヤー中に分散される。」（明細書１２ページ７行〜１０行）
　ｅ．The preferred permeation enhancers … at least 51%.「本発明の好ましい透過促進剤はモノグリセリド又は少なくとも５１％のモノグリセリド総含量を有する脂肪酸のモノグリセリド混合物である。」（明細書１２ページ１４行〜１６行）
　ｆ．According to the present invention, … with a suitable permeation enhancer.「本発明によって、オキシブチニンを、適当な透過促進剤と同時投与するならば、経皮経路を介して治療有効量で人体に投与できることが判明した。」（明細書６ページ１５行〜１８行）
　
　そして、図１には、バッキング層１４、オキシブチニンと適当な透過促進剤の両方を含有する溜め１２、インライン接触接着剤層１６を順次積層した経皮投与デバイス１０が、インライン接触接着剤層１６により皮膚１８に接着された状態が図示されている。
　
　記載ａには、分散した薬物であるオキシブチニンと透過促進剤とを含むマトリックスの形状である溜め１２が、バッキング層１４と、インライン接触接着剤層１６との間に挟まれた、経皮投与デバイス１０が記載されている。
　記載ｂには、非水性製剤を用いる場合には、溜めマトリックスは好ましくは疎水性ポリマーから成る旨記載されており、具体的には、エチレン−酢酸ビニル（ＥＶＡ）コポリマーやポリイソブチレン／油　ポリマーがマトリックス物質として使用可能である旨記載されていることから、引用例１には、非水性の溜めが記載されているといえる。
　記載ｃには、オキシブチニン投与期間の所望の長さの関数として過剰のオキシブチニンがマトリックス中に存在することが記載され、記載ｄには、透過促進剤も、予定投与期間を通して溜めに促進剤の透過促進量を供給するために充分な濃度でマトリックス中に分散されることが記載されていることから、この溜めは、治療有効量のオキシブチニンと皮膚透過促進量の透過促進剤が含まれているものと認められる。
　記載ｅには、透過促進剤はモノグリセリドである旨記載されており、また、記載ｆには、本発明により、適当な透過促進剤との同時投与により、オキシブチニンを治療有効量で人体に投与できる旨記載されている。
　
　これら記載事項及び図示内容を総合し、本願発明の記載ぶりに則って整理すると、引用例１には、次の発明（以下、「引用発明」という）が記載されている。
　
「治療有効量で投与するオキシブチニンの経皮投与デバイス１０であって、
　（ａ）’治療有効量のオキシブチニンと皮膚透過促進量の透過促進剤とを含む非水性の溜め１２と；
　（ｃ）’該溜め１２の皮膚遠位面上のバッキング層１４と；
　（ｄ）’皮膚近位面上に設けられ、かつ該溜め１２を皮膚１８に対してオキシブチニン及び透過促進剤混合物を伝達するような関係に維持するための手段であり該溜め１２に隣接して設けたインライン接触接着剤層１６とを含む、
オキシブチニンの経皮投与デバイス１０」
　
　Ｂ．同じく原査定の拒絶の理由に引用された、特表平０５−５０３９１６号公報（以下、「引用例２」という）には、図面と共に次の事項が記載されている。
　ｇ．「本発明は、概して、鎮静、血圧降下、鎮痛および／または不安除去を目的とするデキスメデトミジンの投与に関し、特に、皮膚を介してこの薬剤を投与する方法およびデバイスに関する。」（２ページ右上欄５〜８行）
　ｈ．「経皮的投薬のために必須のものではないが、薬剤が塩基または塩のいずれの形態であっても、薬剤と共に皮膚透過促進剤を投与することが好ましい。当該分野で既知の多くの皮膚透過促進剤が何種類でも使用され得る。適切な促進剤の例としては、…ポリエチレングリコールモノラウレート（ＰＥＧＭＬ）、グリセロールモノラウレート、…およびブロビレングリコールモノラウレート（ＰＧＭＬ）がある。」（３ページ右下欄１９行〜４ページ左上欄８行）
　ｉ．「本発明の方法によるデキスメデトミジンの経皮投与のための治療システムは、図１および図２に示すような積層複合体である。デバイス（１）は、（ａ）デバイスの上面を構成する裏当て層（１０）、（ｂ）任意に用いられる、裏当て層に隣接する固定接着剤層（１１）、および（ｃ）デバイスの底面を構成し、かつ使用中に皮膚に接触しそして付着する接触接着剤層（１２）を備えている。この複合体はまた、好ましくは、（ｄ）任意に用いられる付加的な多孔性の中間層（１３）を備えている。中間層は、固定層が用いられる場合には固定層と接触接着剤層との間に位置し、典型的には吸着性の不織布からなる。積層後、固定接着剤および接触接着剤が中間層に浸透することによって、複合層（１４）が形成される。複合層は、中間層および固定接着剤を備えた上部（１５）と、中間層および接触接着剤を備えた下部（１６）とを有する。」（４ページ右上欄１６行〜左下欄５行）
　ｊ．「中間層は、可とう性を有する薄い吸着層であり、固定層と接触層との双方を固定して、完成したデバイスの湾曲、層間剥離、およびコールドフローを防止するためのものである。中間層を備えることは好ましいが絶対必要なものではない。中間層は、固定層も含むデバイスにのみ備えられる。デバイスの作製中に、固定接着剤および接触接着剤が中間層へ移動し、中間層中で接触する。中間層は、デバイスの全ての成分に対して完全に透過性であらねばならず、従って、投与速度制御膜としては機能しない。この層は好ましくはポリエステル、ポリエチレン、ポリプロピレン、ポリアミド、レーヨンまたは綿などの不織布、特に１００％不織ポリエステルから作製される。」（５ページ右上欄１７行〜左下欄４行）
　ｋ．「一般に、本発明のデバイスは当該分野で標準的な方法を用いて、溶媒−蒸発フィルムキャスティング、薄膜ラミネーション、およびダイカッティングによって作製される。本発明の現状での好ましい実施態様では以下のように調製される：エチルアセテート、トルエン（もしくはこれに代わるものとしてイソプロパノール）およびエタノールに２種類のビニルアセテート−アクリレートマルチポリマーを加えた溶液を調製する。その際には、ポリマー／溶媒の溶液それぞれの重量を測定して適切な容器に入れ、滑らかで均質になるまで混合し、接触層溶液を形成する。…所望量のデキスメデトミジンを加えて十分に混合する。促進剤（例えばＰＧＭＬ）がこの時点で任意に加えられる。次に、ヘキサンにポリイソブチレンポリマーおよびポリブテンポリマーを加えた溶液を調製する。その際には、ポリマーおよびヘキサンの重量を測定して適切な容器に入れ、滑らかで均質になるまで混合し、固定層のキャスティング用溶液を形成する。その後に、固定接着剤溶液を、例えば押出用ダイ、コーティングナイフ、もしくはナイフ−オーバー−ロールコーティング法を用いて、剥離ライナーの剥離処理面に塗布する。その塗膜を乾燥オーブン中に通過させることによって、へキサン溶媒を除去する。次に、乾燥した固定接着剤に裏当て層を均等なロール圧で積層する。その後に、剥離ライナーを剥離し、代わりに不織繊維フィルムを均等なロール圧で積層する。得られた積層体をロール上に巻く。
　次に薬剤／接触接着剤溶液を剥離ライナーに塗布し、その層を乾燥オーブン中に通過させることによって、溶媒を除去する。その後に、乾燥した接触層を裏当て／固定／繊維積層体の繊維面に均等なロール圧で積層し、固定接着剤および接触接着剤を中間繊維層中へ流入させる。最後に、ダイカッティングにより積層体を個々のデバイスとし、検査し、そしてパウチに入れてヒートシールする。」（５ページ左下欄１３行〜右下欄２０行）
　ｌ．「次いで乾燥した固定接着剤層上に裏当てを積層し、剥離ライナーを除去し、中間繊維層を接着した（Ｒｅｅｍａｙ　２２５０）。得られた生成物を接触接着剤層に手動加圧ローラを用いて積層した。その際には、構成層中に界面が得られるまで固定接着剤および接触接着剤を押圧し、これによって、最終的な積層体を形成した。」（６ページ右上欄１１〜１６行）
　
　そして、FIG.1には、裏当て層１０，固定接着剤層１１，多孔性の中間層１３，接触接着剤層１２が積層したデバイスが図示され、FIG.2には、多孔性の中間層の空隙に固定接着剤と接触接着剤とが侵入して接触し、界面を挟んで上部（１５）と、下部（１６）とからなる複合層となった状態が図示されている。
　
　引用例２には、皮膚を介して薬剤を投与するデバイスが記載されており（記載ｇ参照）、また、薬剤を、グリセロールモノラウレートやＰＧＭＬ等の非イオン界面活性剤を含む皮膚透過促進剤とともに投与することが記載されている（記載ｈ参照）。このデバイスは、デバイスの上面を構成する裏当て層（１０）、裏当て層に隣接する固定接着剤層（１１）、及び皮膚に接触し付着する接触接着剤層（１２）を備え、さらに固定接着剤層（１１）と接触接着剤層（１２）との間に、多孔性の中間層（１３）を備えており、固定接着剤と接触接着剤とは、中間層の空隙に侵入して互いに接触することが記載されている（記載ｉ，ｊ参照）。
　記載ｋより、薬剤（デキスメデトミジン）と非イオン系界面活性剤（皮膚浸透促進剤：ＰＧＭＬ）とは、有機溶媒を加えたポリマー溶液に混合されることから、接触接着剤層（１２）に非水性の状態で含有されていることが明らかである。
　また、中間層は、「固定層と接触層との双方を固定して、完成したデバイスの…層間剥離…を防止するため」に設けられ、「デバイスの全ての成分に対して完全に透過性で」、「投与速度制御膜としては機能しない」ものであり、具体的には、「ポリエステル、ポリエチレン、ポリプロピレン、ポリアミド、レーヨンまたは綿などの不織布、特に１００％不織ポリエステルから作製される」ものであり（記載ｊ参照）、さらに具体的には、例えばＲｅｅｍａｙ　２２５０が用いられる（記載ｌ参照）ことが引用例２に記載されている。
　
　したがって、これら記載事項及び図示内容を総合すると、引用例２には、次の技術思想が記載されている。
　
「皮膚を介して薬剤を投与するデバイスにおいて、薬剤（デキスメデトミジン）と非イオン系界面活性剤（皮膚浸透促進剤：ＰＧＭＬ）とを非水性状態で含む接触接着剤層（１２）と、固定接着剤層（１１）との剥離等を防止するために、両者の間にポリエステル不織布からなり、デバイスの全ての成分に対して完全に透過性で投与速度制御膜としては機能しない多孔性の中間層（１３）を設けること。」
　
３−２．対比
　本願補正発明と引用発明とを対比すると、その構造または機能からみて、引用発明の「治療有効量で投与するオキシブチニンの経皮投与デバイス１０」は、「オキシブチニン」が「薬物」に相当するとともに、「治療有効量」で投与することが「治療有効速度」で投与することと実質的に同義であることから、本願補正発明の「治療有効速度での薬物の経皮投与デバイス」に相当する。
　また、引用発明の「透過促進剤」は、上記記載ｅにあるように、具体的にはモノグリセリドであり、一方、本願補正発明の「非イオン界面活性剤」は、その下位概念として、モノグリセリドを包含するものであるから、両者はモノグリセリドである点で共通する。
　そして、引用発明の「非水性の溜め１２」は、本願補正発明の「非水性溜め」に、「バッキング層１４」は「バッキング」に、「インライン接触接着剤層１６」は「接着剤層を含む手段」にそれぞれ相当する。
　
　そこで、本願補正発明の用語を用いて表現すると、両者は次の点で一致する。
（一致点）
　「治療有効速度での薬物の経皮投与デバイスであって、
　（ａ）治療有効量の薬物と皮膚透過促進量の非イオン界面活性剤とを含む非水性溜めと；
　（ｃ）該溜めの皮膚遠位面上のバッキングと；
　（ｄ）皮膚近位面上に設けられ、かつ該溜めを皮膚に対して薬物及び透過促進剤混合物を伝達するような関係に維持するための手段である接着剤層を含む手段とを含む、
薬物の経皮投与デバイス。」
　
　そして、両者は次の点で相違する（対応する引用例記載の用語を（　）内に示す）。
（相違点１）
　本願補正発明は、「溜めの皮膚近位面上にあり、非イオン界面活性剤及び薬物に対して低い又は無視できる程の溶解性を有する物質から形成される非速度制御性孔質連結層」であって、「微孔質連結層、多孔質ポリカーボネート及びスパンボンド処理フィラメント材料からなる群から選択され、透過促進剤及び薬物のいずれも吸収せず、薬物の流動及び放出速度に関して有効に非速度制御性であるような物質から形成され、それにより、溜め及び接着剤層間のブルーミングと離層とを減じるようにする」連結層を備えているのに対し、引用発明は、かかる連結層を備えない点。
　
（相違点２）
　本願補正発明は、接着剤層を含む手段が「連結層の皮膚近位面上に設けられ」、「連結層に隣接して設け」られているのに対し、引用発明は、連結層を備えていないので、接着剤層を含む手段（インライン接触接着剤層１６）が、皮膚近位面上に設けられ、溜め（溜め１２）に隣接して設けられている点。
　
３−３．相違点の判断
　上記相違点１，２について検討する。
　引用例２には、皮膚を介して薬剤を投与するデバイスにおいて、薬剤（デキスメデトミジン）と非イオン系界面活性剤（皮膚浸透促進剤：ＰＧＭＬ）とを非水性状態で含む接触接着剤層（１２）と、固定接着剤層（１１）との剥離等を防止するために、両者の間にポリエステル不織布からなり、デバイスの全ての成分に対して完全に透過性で投与速度制御膜としては機能しない多孔性の中間層（１３）を設けるという技術思想が記載されている。
　ここで、引用例２記載の、皮膚を介して薬剤を投与するデバイスは、本願補正発明の「薬物の経皮投与デバイス」及び、引用発明の「オキシブチニンの経皮投与デバイス」と同じ技術分野に属するものであり、引用例２記載の「接触接着剤層（１２）」は、薬剤（デキスメデトミジン）と非イオン系界面活性剤（皮膚浸透促進剤：ＰＧＭＬ）とを非水性状態で含むことから、本願補正発明の「非水性溜め」及び引用発明の「非水性の溜め１２」に対応するものであり、また、「固定接着剤層（１１）」は、接着剤の層であることから、本願補正発明の「接着剤層」及び引用発明の「インライン接触接着剤層１６」に対応するものである。
　そこで、引用発明に、接着剤層を含む手段（インライン接触接着剤層１６）と溜め（溜め１２）とが剥離すること等を防止する目的で引用例２記載の技術思想を適用し、両者の間にポリエステル不織布からなり、デバイスの全ての成分に対して完全に透過性で投与速度制御膜としては機能しない多孔性の中間層（１３）を設けることは、当業者が容易に想到し得たことである。
　ここで、中間層（１３）は、「デバイスの全ての成分に対して完全に透過性」であるから、「非イオン界面活性剤及び薬物に対して低い又は無視できる程の溶解性を有する物質から形成され」ていることは明らかであり、また、「投与速度制御膜としては機能しない」ものであるから、「薬物の流動及び放出速度に関して有効に非速度制御性であるような物質から形成され」ていることも明らかであるといえる。
　また、ポリエステル不織布として、スパンボンド処理フィラメント材料であるポリエステルフィラメント・スパンボンド不織布を選択する程度のことは、当業者が適宜なし得た設計的事項であるといえると共に、引用例２には、不織布としてより具体的に、「Ｒｅｅｍａｙ　２２５０」を用いることが記載されており、Ｒｅｅｍａｙが、米国のReemay Inc社（現Fiberweb社）により製造されている、著名なポリエステルフィラメント・スパンボンド不織布の商標であることを勘案すると、「スパンボンド処理フィラメント材料からなる連結層」は、引用例２に示唆されているということもできる。
　したがって、引用発明に引用例２記載の技術思想を適用し、相違点１に係る本願補正発明の構成のようにすることは当業者が容易に想到し得たことである。
　また、適用の結果、接着剤層を含む手段（インライン接触接着剤層１６）と、溜め（溜め１２）との間に連結層（中間層）が設けられることとなるから、相違点２に係る本願補正発明の構成のようになることは当然であるといえる。
　
　そして、本願補正発明による効果も、引用発明及び引用例２に記載された技術思想から当業者が予測し得た程度のものであって、格別のものとはいえない。
　
　したがって、本願補正発明は、引用発明及び引用例２に記載された技術思想に基いて、当業者が容易に発明をすることができたものであるので、特許法第２９条第２項の規定により、特許出願の際独立して特許を受けることができない。
　
３−４．むすび
　以上のとおり、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
III．本願発明
　本件補正は、上記のとおり却下されたので、本願の請求項１に係る発明（以下、同項記載の発明を、「本願発明」という）は、平成１７年９月６日付けの手続補正書により補正された明細書の、特許請求の範囲の請求項１に記載された以下のとおりのものである。
　「治療有効速度での薬物の経皮投与デバイスであって、
　（ａ）治療有効量の薬物と皮膚透過促進量の非イオン界面活性剤とを含む非水性溜めと；
　（ｂ）該溜めの皮膚近位面上の非速度制御性連結層膜であって、非イオン界面活性剤及び薬物に対して低い又は無視できる程の溶解性を有する物質から形成され、しかもデバイスからの薬物の流動又は放出速度が速度制御程度まで影響されないような多孔質であり、それにより、ブルーミングを減じる非速度制御性膜と；
　（ｃ）該溜めの皮膚遠位面上のバッキングと；
　（ｄ）該連結層の皮膚近位面上に該溜めを、皮膚と薬物及び透過促進剤混合物−伝達関係に維持するための手段とを含み、むデバイス。」
　
IV．引用例の記載事項
　原査定の拒絶の理由に引用された引用例１，２、及び、その記載事項は、前記II.３−１に記載したとおりである。
　
Ｖ．対比・判断
　本願発明は、前記II．１の本願補正発明から、「非速度制御性微孔質連結層膜」の限定事項である「微孔質連結層、多孔質ポリカーボネート及びスパンボンド処理フィラメント材料からなる群から選択され」を省き、「連結層」の限定事項である、「透過促進剤及び薬物のいずれも吸収せず」を省き、「それにより、溜め及び接着剤層間のブルーミングと離層とを減じる」との構成を「それにより、ブルーミングを減じる」と、場所についての「溜め及び接着剤層間」との限定、及び、「減じる」ことの対象として含まれていた「離層」を省き、「該連結層の皮膚近位面上に設けられ、かつ該溜めを皮膚に対して薬物及び透過促進剤混合物を伝達するような関係に維持するための手段であり、連結層に隣接して設けた接着剤層を含む手段」を、「該連結層の皮膚近位面上に該溜めを、皮膚と薬物及び透過促進剤混合物−伝達関係に維持するための手段」として、「連結層に隣接して設けた接着剤層を含む」との限定を省いたものである。
　そうすると、本願発明の構成要件をすべて含み、さらに、他の構成要件を付加したものに相当する本願補正発明が、前記II．３−３に記載したとおり、引用発明及び引用例２に記載された技術思想に基いて、当業者が容易に発明をすることができたものであるから、本願発明も、同様に、引用発明及び引用例２に記載された技術思想に基いて、当業者が容易に発明をすることができたものである。
　
VI．むすび
　以上のとおり、本願発明は、引用発明及び引用例２に記載された技術思想に基いて、当業者が容易に発明をすることができたものであるから、特許法第２９条第２項の規定により、特許を受けることができない。
　よって、結論のとおり審決する。